(57)【特許請求の範囲】
【請求項１】
相手先からの送信データをセンタ経由により受信して表示できる親機と、その親機を通じて前記送信データを受信して表示できる子機とを備えた通信装置であって、
前記センタに対して前記親機または子機のいずれかから前記送信データを送信すべき旨の要求がなされた場合、その要求を行ったもののみに対して前記送信データに関する情報を取得させる制御手段を有することを特徴とする通信装置。
【請求項２】
相手先からの送信データをセンタ経由により受信して表示できる親機と、その親機を通じて前記送信データを受信して表示できる子機とを備えた通信装置であって、
前記センタに対して前記親機または子機のいずれかから前記送信データを送信すべき旨の要求がなされた場合、その要求を行った以外の他機が前記送信データに関する情報を取得することを禁止する制御手段を有することを特徴とする通信装置。
【請求項３】
前記制御手段は、前記センタからの自動送信に応じて前記親機が前記送信データを受信した場合、その送信データに関する情報を前記親機から前記子機へと配信する、請求項１または２に記載の通信装置。
【請求項４】
前記親機または子機は、前記送信データを印刷できる印刷手段を備え、
前記制御手段は、前記親機または子機のうち前記送信データの取得を禁止されなかったものについて前記印刷手段を介して前記送信データを印刷させる、請求項２または３に記載の通信装置。
【請求項５】
前記制御手段は、前記親機または子機が前記送信データを受信して取得した場合であっても、その送信データに認証情報が設定されている場合、その認証結果に応じて前記送信データが前記印刷手段を介して印刷されることを禁止する、請求項４に記載の通信装置。
【請求項６】
前記制御手段は、前記親機および子機の各機が取得した前記送信データに関する情報を未読／既読ごとに分けて各機にて一覧表示させる、請求項１ないし５のいずれかに記載の通信装置。
【請求項７】
前記制御手段は、外部からの要求に応じて前記親機および子機の各機が取得した前記送信データを未読／既読ごとに分けて一括処理する、請求項６に記載の通信装置。
【請求項８】
相手先からの送信データをセンタ経由により受信して表示できる一方、その送信データを子機に転送できる親機としての通信装置であって、
前記センタに対して本機または前記子機のいずれかから前記送信データを送信すべき旨の要求がなされた場合、その要求を行ったもののみに対して前記送信データに関する情報を取得させるように制御する、または、その要求を行った以外の他機が前記送信データに関する情報を取得することを禁止するように制御する制御手段を有することを特徴とする通信装置。
【請求項９】
前記制御手段は、前記センタからの自動送信に応じて本機が前記送信データを受信した場合、その送信データに関する情報を本機から前記子機へと配信する、請求項８に記載の通信装置。
【請求項１０】
前記送信データを印刷できる印刷手段を備え、
前記制御手段は、本機が前記送信データの取得を禁止されなかった場合に前記印刷手段を介して前記送信データを印刷させる、請求項８または９に記載の通信装置。
【請求項１１】
前記制御手段は、前記送信データを受信して取得した場合であっても、その送信データに認証情報が設定されている場合、その認証結果に応じて前記送信データが前記印刷手段を介して印刷されることを禁止する、請求項１０に記載の通信装置。
【請求項１２】
前記制御手段は、本機が取得した前記送信データに関する情報を未読／既読ごとに分けて一覧表示させる、請求項８ないし１１のいずれかに記載の通信装置。
【請求項１３】
前記制御手段は、外部からの要求に応じて本機が取得した前記送信データを未読／既読ごとに分けて一括処理する、請求項１２に記載の通信装置。
【請求項１４】
相手先からの送信データをセンタ経由により受信して表示できる親機とともに用いられ、その親機から前記送信データを受信して表示できる子機としての通信装置であって、
前記センタに対して本機または前記親機のいずれかから前記送信データを送信すべき旨の要求がなされた場合、その要求を行った以外の他機が前記送信データに関する情報を取得できないよう制御する制御手段を有することを特徴とする通信装置。
【請求項１５】
前記制御手段は、前記センタからの自動送信に応じて前記親機が前記送信データを受信した場合、その送信データに関する情報を前記親機から本機へと配信させる、請求項１４に記載の通信装置。
【請求項１６】
前記送信データを印刷できる印刷手段を備え、
前記制御手段は、本機が前記送信データの取得を禁止されなかった場合に前記印刷手段を介して前記送信データを印刷させる、請求項１４または１５に記載の通信装置。
【請求項１７】
前記制御手段は、本機が前記送信データを取得した場合であっても、その送信データに認証情報が設定されている場合、その認証結果に応じて前記送信データが前記印刷手段を介して印刷されることを禁止する、請求項１６に記載の通信装置。
【請求項１８】
前記制御手段は、本機が取得した前記送信データに関する情報を未読／既読ごとに分けて一覧表示させる、請求項１４ないし１７のいずれかに記載の通信装置。
【請求項１９】
前記制御手段は、外部からの要求に応じて本機が取得した前記送信データを未読／既読ごとに分けて一括処理する、請求項１８に記載の通信装置。
【発明の詳細な説明】
【０００１】
【発明の属する技術分野】
本発明は、たとえば電子メールデータを受信して表示できる親機と子機とを備えたファクシミリ装置などの通信装置に関する。
【０００２】
【従来の技術】
最近のファクシミリ装置には、電子メールデータを受信して表示や印刷できる親機と、その親機を通じて電子メールデータを受信して表示できる子機とを備えたものがある。電子メールデータは、一般に相手先からセンタに到着した後、受信側からセンタに対して送信要求を行わなければ受信することができないが、センタが提供するメールサービスによっては、新着の電子メールデータを自動的に送信する機能もある。このような送信要求あるいは自動送信のいずれにしても、親機と子機とを備えたファクシミリ装置では、通常、電子メールデータが親機を受け口として受信されるとともに、その親機のメモリに保存されるものとされている。子機を用いて電子メールデータを確認する場合には、一旦親機を介して受信した電子メールデータをその親機から取り込み、子機の画面上に表示させるものとしている。
【０００３】
【発明が解決しようとする課題】
しかしながら、上記したように電子メールデータが一律に親機のメモリに保存される場合、たとえば子機の画面上だけで確認したい私信としての電子メールデータがあっても、親機を操作すれば親機の画面上でその電子メールデータを確認できるので、電子メールデータを内密に取り扱うことができなかった。
【０００４】
本発明は、上記の点に鑑みて提案されたものであって、相手先から送られた送信データを受信する方法に応じて内密に取り扱うことができる通信装置、およびそのような通信装置の動作を実現するためのコンピュータプログラムを提供することを目的とする。
【０００５】
【課題を解決するための手段】
上記目的を達成するために、請求項１に記載した発明の通信装置は、相手先からの送信データをセンタ経由により受信して表示できる親機と、その親機を通じて前記送信データを受信して表示できる子機とを備えた通信装置であって、前記センタに対して前記親機または子機のいずれかから前記送信データを送信すべき旨の要求がなされた場合、その要求を行ったもののみに対して前記送信データに関する情報を取得させる制御手段を有することを特徴とする。
【０００６】
このような通信装置によれば、たとえば子機からセンタに対して送信データを送信すべき旨の要求を行った場合には、その子機が親機を通じて送信データを受信しつつも、送信要求を発した子機以外の親機などには送信データが取得されないので、私信としての送信データが送信要求を行った子機のみに取得され、その子機上で送信データを表示させて内密に取り扱うことができる。もちろん、親機から送信要求を行った場合や、複数の子機のいずれか１つから送信要求を行った場合についても同様である。なお、この場合、親機において送信データが取得されないということと、一旦親機において送信データを回線網から受けてメモリに保持した後、発呼子機に当該データを送信することとは矛盾しない。要するに、親機や他の子機における表示や印刷用のメモリに取得されなければ良い。
【０００７】
また、請求項２に記載した発明の通信装置は、相手先からの送信データをセンタ経由により受信して表示できる親機と、その親機を通じて前記送信データを受信して表示できる子機とを備えた通信装置であって、前記センタに対して前記親機または子機のいずれかから前記送信データを送信すべき旨の要求がなされた場合、その要求を行った以外の他機が前記送信データに関する情報を取得することを禁止する制御手段を有することを特徴とする。
【０００８】
このような通信装置によれば、請求項１に記載の通信装置による効果と同様の効果を得ることができる。
【０００９】
さらに、請求項３に記載した発明の通信装置は、請求項１または２に記載の通信装置であって、前記制御手段は、前記センタからの自動送信に応じて前記親機が前記送信データを受信した場合、その送信データに関する情報を前記親機から前記子機へと配信する。
【００１０】
このような通信装置によれば、請求項１または２に記載の通信装置による効果に加えて、センタからの自動送信に応じて親機が送信データを受信した場合には、その送信データが親機および子機の全てに取得され、各機上で送信データを表示させて公的に取り扱うことができる。
【００１１】
また、請求項４に記載した発明の通信装置は、請求項２または３に記載の通信装置であって、前記親機または子機は、前記送信データを印刷できる印刷手段を備え、前記制御手段は、前記親機または子機のうち前記送信データの取得を禁止されなかったものについて前記印刷手段を介して前記送信データを印刷させる。
【００１２】
このような通信装置によれば、請求項２または３に記載の通信装置による効果に加えて、たとえば親機からセンタに対して送信データを送信すべき旨の要求を行った場合に限り、それに応じて親機にて送信データを受信した際には、その送信データを印刷させることができる。言い換えれば、子機から送信要求を行った場合には、親機にて一旦受信した送信データが印刷されることはなく、その子機上で送信データを表示させるのみとして内密に取り扱うことができる。要するに、制御手段は、親機からの送信データを送信すべき旨の要求に応じて、その親機が送信データを受信して取得した場合にのみ、印刷手段を介して送信データを印刷させるものとすることができる。
【００１３】
さらに、請求項５に記載した発明の通信装置は、請求項４に記載の通信装置であって、前記制御手段は、前記親機または子機が前記送信データを受信して取得した場合であっても、その送信データに認証情報が設定されている場合、その認証結果に応じて前記送信データが前記印刷手段を介して印刷されることを禁止する。
【００１４】
このような通信装置によれば、請求項４に記載の通信装置による効果に加えて、たとえば親機からセンタに対して送信データを送信すべき旨の要求を行った場合でも、その送信データに認証情報が設定されている場合には、その親機にて受信した送信データが印刷されることはなく、受信した送信データの秘匿性を高めることができる。
【００１５】
また、請求項６に記載した発明の通信装置は、請求項１ないし５のいずれかに記載の通信装置であって、前記制御手段は、前記親機および子機の各機が取得した前記送信データに関する情報を未読／既読ごとに分けて各機にて一覧表示させる。
【００１６】
このような通信装置によれば、請求項１ないし５のいずれかに記載の通信装置による効果に加えて、親機および子機の各機に取り込んだ送信データを未読／既読ごとに分けて一覧表示することで見分けやすくすることができる。
【００１７】
さらに、請求項７に記載した発明の通信装置は、請求項６に記載の通信装置であって、前記制御手段は、外部からの要求に応じて前記親機および子機の各機が取得した前記送信データを未読／既読ごとに分けて一括処理する。
【００１８】
このような通信装置によれば、請求項６に記載の通信装置による効果に加えて、たとえば外部からの要求に応じてその外部へと未読の送信データを一括して転送したり、既読の送信データを一括して消去したりすることができる。
【００１９】
また、請求項８に記載した発明の通信装置は、相手先からの送信データをセンタ経由により受信して表示できる一方、その送信データを子機に転送できる親機としての通信装置であって、前記センタに対して本機または前記子機のいずれかから前記送信データを送信すべき旨の要求がなされた場合、その要求を行ったもののみに対して前記送信データに関する情報を取得させるように制御する、または、その要求を行った以外の他機が前記送信データに関する情報を取得することを禁止するように制御する制御手段を有することを特徴とする。
【００２０】
このような通信装置によれば、たとえば本機からセンタに対して送信データを送信すべき旨の要求を行った場合には、本機が送信データを受信しつつも、送信要求を発した本機以外の子機などには送信データが取得されないので、私信としての送信データが送信要求を行った本機のみに取得され、本機の画面上で送信データを表示させて内密に取り扱うことができる。
【００２１】
さらに、請求項９に記載した発明の通信装置は、請求項８に記載の通信装置であって、前記制御手段は、前記センタからの自動送信に応じて本機が前記送信データを受信した場合、その送信データに関する情報を本機から前記子機へと配信する。
【００２２】
このような通信装置によれば、請求項８に記載の通信装置による効果に加えて、センタからの自動送信に応じて本機が送信データを受信した場合には、その送信データが本機および子機の全てに取り込まれ、各機上で送信データを表示させて公的に取り扱うことができる。
【００２３】
また、請求項１０に記載した発明の通信装置は、請求項８または９に記載の通信装置であって、前記送信データを印刷できる印刷手段を備え、前記制御手段は、本機が前記送信データの取得を禁止されなかった場合に前記印刷手段を介して前記送信データを印刷させる。
【００２４】
このような通信装置によれば、請求項８または９に記載の通信装置による効果に加えて、たとえば本機からセンタに対して送信データを送信すべき旨の要求を行った場合に限り、それに応じて本機にて送信データを受信した際には、その送信データを印刷させることができる。言い換えれば、子機から送信要求を行った場合には、本機にて一旦受信した送信データが印刷されることはなく、その子機上で送信データを表示させるのみとして内密に取り扱うことができる。要するに、制御手段は、本機からの送信データを送信すべき旨の要求に応じて、その送信データを受信して取得した場合にのみ、印刷手段を介して送信データを印刷させるものとすることができる。
【００２５】
さらに、請求項１１に記載した発明の通信装置は、請求項１０に記載の通信装置であって、前記制御手段は、前記送信データを受信して取得した場合であっても、その送信データに認証情報が設定されている場合、その認証結果に応じて前記送信データが前記印刷手段を介して印刷されることを禁止する。
【００２６】
このような通信装置によれば、請求項１０に記載の通信装置による効果に加えて、たとえば本機からセンタに対して送信データを送信すべき旨の要求を行った場合でも、その送信データに認証情報が設定されている場合には、本機にて受信した送信データが印刷されることはなく、受信した送信データの秘匿性を高めることができる。
【００２７】
また、請求項１２に記載した発明の通信装置は、請求項８ないし１１のいずれかに記載の通信装置であって、前記制御手段は、本機が取得した前記送信データに関する情報を未読／既読ごとに分けて一覧表示させる。
【００２８】
このような通信装置によれば、請求項８ないし１１のいずれかに記載の通信装置による効果に加えて、本機に取り込んだ送信データを未読／既読ごとに分けて一覧表示することで見分けやすくすることができる。
【００２９】
さらに、請求項１３に記載した発明の通信装置は、請求項１２に記載の通信装置であって、前記制御手段は、外部からの要求に応じて本機が取得した前記送信データを未読／既読ごとに分けて一括処理する。
【００３０】
このような通信装置によれば、請求項１２に記載の通信装置による効果に加えて、たとえば外部からの要求に応じてその外部へと未読の送信データを一括して転送したり、既読の送信データを一括して消去したりすることができる。
【００３１】
また、請求項１４に記載した発明の通信装置は、相手先からの送信データをセンタ経由により受信して表示できる親機とともに用いられ、その親機から前記送信データを受信して表示できる子機としての通信装置であって、前記センタに対して本機または前記親機のいずれかから前記送信データを送信すべき旨の要求がなされた場合、その要求を行った以外の他機が前記送信データに関する情報を取得できないよう制御する制御手段を有することを特徴とする。
【００３２】
このような通信装置によれば、たとえば本機からセンタに対して送信データを送信すべき旨の要求を行った場合には、本機が親機から送信データを取得しつつも、送信要求を発した本機以外の親機などには送信データが取り込まれないので、私信としての送信データが送信要求を行った本機のみに取得され、本機の画面上に送信データを表示させて内密に取り扱うことができる。
【００３３】
さらに、請求項１５に記載した発明の通信装置は、請求項１４に記載の通信装置であって、前記制御手段は、前記センタからの自動送信に応じて前記親機が前記送信データを受信した場合、その送信データに関する情報を前記親機から本機へと配信させる。
【００３４】
このような通信装置によれば、請求項１４に記載の通信装置による効果に加えて、センタからの自動送信に応じて親機が送信データを受信した場合には、その送信データが親機を通じて本機に取得され、本機の画面上で送信データを表示させて公的に取り扱うことができる。
【００３５】
また、請求項１６に記載した発明の通信装置は、請求項１４または１５に記載の通信装置であって、前記送信データを印刷できる印刷手段を備え、前記制御手段は、本機が前記送信データの取得を禁止されなかった場合に前記印刷手段を介して前記送信データを印刷させる。
【００３６】
このような通信装置によれば、請求項１４または１５に記載の通信装置による効果に加えて、たとえば本機からセンタに対して送信データを送信すべき旨の要求を行った場合に限り、それに応じて本機が送信データを取得した際には、その送信データを印刷させることができる。言い換えれば、本機から送信要求を行った場合には、親機にて一旦受信した送信データが印刷されることはなく、本機の画面上で送信データを表示させるのみとして内密に取り扱うことができる。要するに、制御手段は、本機からの送信データを送信すべき旨の要求に応じて、その送信データを取得した場合にのみ、印刷手段を介して送信データを印刷させるものとすることができる。
【００３７】
さらに、請求項１７に記載した発明の通信装置は、請求項１６に記載の通信装置であって、前記制御手段は、本機が前記送信データを取得した場合であっても、その送信データに認証情報が設定されている場合、その認証結果に応じて前記送信データが前記印刷手段を介して印刷されることを禁止する。
【００３８】
このような通信装置によれば、請求項１６に記載の通信装置による効果に加えて、たとえば本機からセンタに対して送信データを送信すべき旨の要求を行った場合でも、その送信データに認証情報が設定されている場合には、本機にて取得した送信データが印刷されることはなく、受信した送信データの秘匿性を高めることができる。
【００３９】
また、請求項１８に記載した発明の通信装置は、請求項１４ないし１７のいずれかに記載の通信装置であって、前記制御手段は、本機が取得した前記送信データに関する情報を未読／既読ごとに分けて一覧表示させる。
【００４０】
このような通信装置によれば、請求項１４ないし１７のいずれかに記載の通信装置による効果に加えて、本機に取り込んだ送信データを未読／既読ごとに分けて一覧表示することで見分けやすくすることができる。
【００４１】
さらに、請求項１９に記載した発明の通信装置は、請求項１８に記載の通信装置であって、前記制御手段は、外部からの要求に応じて本機が取得した前記送信データを未読／既読ごとに分けて一括処理する。
【００４２】
このような通信装置によれば、請求項１８に記載の通信装置による効果に加えて、たとえば外部からの要求に応じてその外部へと未読の送信データを一括して転送したり、既読の送信データを一括して消去したりすることができる。
【００４３】
なお、本発明は、以下に示す通りのコンピュータプログラムによっても実現可能である。
【００４４】
（１）相手先からの送信データをセンタ経由により受信して表示できる一方、その送信データを子機に転送できる親機としての通信装置として機能させるためのコンピュータプログラムであって、前記センタに対して本機または前記子機のいずれかから前記送信データを送信すべき旨の要求がなされた場合、その要求を行ったもののみに対して前記送信データに関する情報を取得させるように制御する、または、その要求を行った以外の他機が前記送信データに関する情報を取得することを禁止するように制御する制御プログラムを含むことを特徴とするコンピュータプログラム。
【００４５】
（２）前記制御プログラムは、前記センタからの自動送信に応じて前記送信データを受信した場合、その送信データに関する情報を前記子機へと配信する、前記（１）に記載のコンピュータプログラム。
【００４６】
（３）前記制御プログラムは、前記送信データの取得を禁止されなかった場合に、前記送信データを印刷できる印刷プログラムを介して前記送信データを印刷させる、前記（１）または（２）に記載のコンピュータプログラム。
【００４７】
（４）前記制御プログラムは、前記送信データを受信して取得した場合であっても、その送信データに認証情報が設定されている場合、その認証結果に応じて前記送信データが印刷されることを禁止するように制御する、前記（３）に記載のコンピュータプログラム。
【００４８】
（５）前記制御プログラムは、取得した前記送信データに関する情報を未読／既読ごとに分けて一覧表示させる、前記（１）ないし（４）のいずれかに記載のコンピュータプログラム。
【００４９】
（６）前記制御プログラムは、外部からの要求に応じて取得した前記送信データを未読／既読ごとに分けて一括処理する、前記（５）に記載のコンピュータプログラム。
【００５０】
（７）相手先からの送信データをセンタ経由により受信して表示できる親機とともに用いられ、その親機から前記送信データを受信して表示できる子機としての通信装置として機能させるためのコンピュータプログラムであって、前記センタに対して本機または前記親機のいずれかから前記送信データを送信すべき旨の要求がなされた場合、その要求を行った以外の他機が前記送信データに関する情報を取得できないよう制御する制御プログラムを含むことを特徴とするコンピュータプログラム。
【００５１】
（８）前記制御プログラムは、前記センタからの自動送信に応じて前記親機が前記送信データを受信した場合、その送信データに関する情報を前記親機から本機へと配信させる、前記（７）に記載のコンピュータプログラム。
【００５２】
（９）前記制御プログラムは、前記送信データの取得を禁止されなかった場合に印刷プログラムを介して前記送信データを印刷させる、前記（７）または（８）に記載のコンピュータプログラム。
【００５３】
（１０）前記制御プログラムは、前記送信データを取得した場合であっても、その送信データに認証情報が設定されている場合、その認証結果に応じて前記送信データが印刷されることを禁止する、前記（９）に記載のコンピュータプログラム。
【００５４】
（１１）前記制御プログラムは、前記送信データに関する情報を未読／既読ごとに分けて一覧表示させる、前記（７）ないし（１０）のいずれかに記載のコンピュータプログラム。
【００５５】
（１２）前記制御プログラムは、外部からの要求に応じて取得した前記送信データを未読／既読ごとに分けて一括処理する、前記（１１）に記載のコンピュータプログラム。
【００５６】
【発明の実施の形態】
以下、本発明の好ましい実施の形態について図面を参照して説明する。
【００５７】
図１は、本発明に係る通信装置の一実施形態として、ファクシミリ装置を示すブロック図である。この図に示すように、本実施形態に係るファクシミリ装置は、親機としてのファクシミリ装置本体Ａと、子機としての複数のコードレス電話機Ｂ１〜Ｂ５とを備えたものであって、親子間や子機間で音声信号や各種のデータをやり取り可能としたものである。なお、以下の説明においては、符号Ａで示すファクシミリ装置本体を親機と呼び、符号Ｂ１〜Ｂ５で示すコードレス電話機を子機と呼ぶ。子機Ｂ２〜Ｂ５については、子機Ｂ１と同様の構成であることから詳細な図示説明を省略し、図２に子機Ｂ１の外観を示す。また、図３には、親機Ａの外観を示す。
【００５８】
まず、図１を主に参照して親機Ａについて説明すると、親機Ａは、ＣＰＵ１０、ＮＣＵ１１、ＲＡＭ１２、モデム１３、ＲＯＭ１４、ＮＶＲＡＭ（不揮発性ＲＡＭ：Non-Volatile RAM）１５、ゲートアレイ１６、コーデック１７、ＤＭＡＣ１８、読取部２１、印刷部２２、操作部２３、表示部２４、および無線通信部２５などを具備して概略構成されている。ＣＰＵ１０、ＮＣＵ１１、ＲＡＭ１２、モデム１３、ＲＯＭ１４、ＮＶＲＡＭ１５、ゲートアレイ１６、コーデック１７、およびＤＭＡＣ１８は、バス線２７により相互に接続されている。バス線２７には、アドレスバス、データバス、および制御信号線が含まれる。ゲートアレイ１６には、読取部２１、印刷部２２、操作部２３、表示部２４、および無線通信部２５が接続されている。ＮＣＵ１１には、公衆電話回線２８が接続されている。
【００５９】
ＣＰＵ１０は、親機全体の動作を制御する。ＮＣＵ１１は、公衆電話回線２８に接続されて網制御を行う。ＲＡＭ１２は、ＣＰＵ１０の作業領域や各種データのバッファ領域などを提供する。モデム１３は、音声信号の変調や復調などを行う。ＲＯＭ１４は、ＣＰＵ１０が実行すべきプログラムなどを記憶している。ＮＶＲＡＭ１５は、各種の情報やデータを記憶する。ゲートアレイ１６は、ＣＰＵ１０と各部２１〜２５とのインターフェイスとして機能する。コーデック１７は、音声信号やデータなどの符号化や復号化を行う。ＤＭＡＣ１８は、ＣＰＵ１０を介することなくＲＡＭ１２などとの間で直接データのやり取りを行う。
【００６０】
読取部２１は、イメージセンサやＬＥＤ光源などを備え、原稿などから文字や図形などの画像を読み取る。印刷部２２は、たとえばインクジェット方式などにより文字や図形などの画像を用紙上に印刷する。操作部２３は、図３に良く示すように、テンキーや各種の操作ボタンなどを備え、ユーザの操作に応じた入力信号をＣＰＵ１０に伝える。表示部２４は、図３に良く示すように、一例として３２０×２４０ドットとした液晶ディスプレイを備え、各種のデータや情報を表示する。無線通信部２５は、図示しないアンテナなどを備え、電波により各子機Ｂ１〜Ｂ５との間で各種のデータや情報をやり取りする。
【００６１】
次に、図１を主に参照して子機Ｂ１について説明すると、子機Ｂ１は、ＣＰＵ３０、ＲＡＭ３２、モデム３３、ＲＯＭ３４、ＮＶＲＡＭ３５、ゲートアレイ３６、コーデック３７、操作部４３、表示部４４、および無線通信部４５などを具備して概略構成されている。ＣＰＵ３０、ＲＡＭ３２、モデム３３、ＲＯＭ３４、ＮＶＲＡＭ３５、ゲートアレイ３６、およびコーデック３７は、バス線４７により相互に接続されている。バス線４７には、アドレスバス、データバス、および制御信号線が含まれる。ゲートアレイ３６には、操作部４３、表示部４４、および無線通信部４５が接続されている。
【００６２】
ＣＰＵ３０は、子機Ｂ１の動作を制御する。ＲＡＭ３２は、ＣＰＵ３０の作業領域や各種データのバッファ領域などを提供する。モデム３３は、音声信号の変調や復調などを行う。ＲＯＭ３４は、ＣＰＵ３０が実行すべきプログラムなどを記憶している。ＮＶＲＡＭ３５は、各種の情報やデータを記憶する。ゲートアレイ３６は、ＣＰＵ３０と各部４３〜４５とのインターフェイスとして機能する。コーデック３７は、音声信号やデータなどの符号化や復号化を行う。
【００６３】
操作部４３は、図２に良く示すように、テンキーや各種の操作ボタンなどを備え、ユーザの操作に応じた入力信号をＣＰＵ３０に伝える。表示部４４は、図２に良く示すように、文字や数字などを数行にわたって表示可能な液晶ディスプレイを備え、各種のデータや情報を表示する。無線通信部４５は、図示しないアンテナなどを備え、電波により親機Ａや他の子機Ｂ２〜Ｂ５との間で各種のデータや情報をやり取りする。
【００６４】
要点について説明すると、本ファクシミリ装置は、図示しないメールサーバとしての機能を備えたセンタとの間で、公衆電話回線２８を通じて電子メールデータをやり取りすることができるものである。特に、電子メールデータを受信する方法には、相手先から本ファクシミリ装置のメールアドレス宛てに送られた電子メールデータがセンタに到着した後、親機Ａや各子機Ｂ１〜Ｂ５からセンタに対して送信要求を行うことでそのセンタから電子メールデータを受信する通常の受信方法と、センタが新着の電子メールデータを自動的に送信するのに応じて受信する自動受信方法とがある。いずれの受信方法によっても、センタから電子メールデータを受信する際には、親機Ａを受け口として電子メールデータが受信される。なお、上記した自動受信方法を実行するためには、本ファクシミリ装置側からセンタに対してその旨を通知しておかなければならず、自動受信方法に関する設定情報などは、親機ＡのＮＶＲＡＭ１５などに記憶されるとする。
【００６５】
ここで、本実施形態において特に注目すべき点は、たとえば子機Ｂ１からセンタに対して送信要求を行い、そのセンタから電子メールデータを受信する際には、一旦親機Ａがセンタからの電子メールデータを受信するものの、その電子メールデータが親機Ａのメモリに保存されることはなく、送信要求を行った子機Ｂ１のみに転送されることにある。つまり、送信要求を行った子機Ｂ１以外の親機Ａや子機Ｂ２〜Ｂ５には、電子メールデータが保存されることはなく、受信日時や送信元のメールアドレスなどを示す履歴情報も通知されない。したがって、子機Ｂ１からの送信要求に応じてその子機Ｂ１のメモリに取り込まれた電子メールデータは、子機Ｂ１の表示部４４のみで表示されて確認されることとなる。このようにして電子メールデータが子機Ｂ１に取り込まれるまでの動作は、主として親機ＡのＣＰＵ１０により制御される。もちろん、親機Ａから送信要求を行った場合や、他の子機Ｂ２〜Ｂ５のいずれか１つから送信要求を行った場合についても同様である。もっとも、電話番号やメールアドレスなどの宛先識別番号を１つしか持たない場合においては、通信網からの受け口となる特定端末（たとえば、親機）において、電子メールデータを受領し表示などを行うべき特定の端末に当該データを送るために一時的にＲＡＭ３２に保持されることはあるが、表示や印刷用のバッファメモリに取得されないように制御するか、取得されたとしても表示や印刷がされないように制御されれば良い。特に、子機のメモリ容量が小さい場合にあっては、受信データを一旦親機において蓄積し、これを発呼子機に対して送信するように構成する。
【００６６】
また、たとえば親機Ａからセンタに対して送信要求を行った場合には、それに応じて親機Ａのみがセンタからの電子メールデータを受信して取り込むこととなるが、その際には、受信した電子メールデータが印刷部２２を介して印刷される。このとき、受信した電子メールデータに認証情報としてのパスワードが設定されている場合には、認証結果に応じてその電子メールデータが受信に伴って印刷されることはない。
【００６７】
一方、センタからの自動送信に応じて電子メールデータを受信する場合には、一旦親機Ａにて受信した電子メールデータが親機Ａのメモリに保存されるとともに、その電子メールデータが全ての各子機Ｂ１〜Ｂ５に配信される。つまり、自動送信に応じて電子メールデータを受信した場合には、親機Ａおよび各子機Ｂ１〜Ｂ５の全てにその電子メールデータが保存され、受信日時や送信元のメールアドレスなどを示す履歴情報も保存されることとなり、自動送信に応じて受信した電子メールデータは、親機Ａおよび各子機Ｂ１〜Ｂ５の全てにおいて確認されることとなる。
【００６８】
以上のようにして親機Ａあるいは子機Ｂ１〜Ｂ５のメモリには、受信方法に応じて複数の電子メールデータやその履歴情報が保存されるが、各機Ａ，Ｂ１〜Ｂ５においては、所定の操作を行うことで電子メールデータの中身となるメッセージ文を表示することができる。ここで、電子メールデータを表示させる前には、ユーザが電子メールデータの履歴情報を一覧表示させ、その中から所望とするものを選択する必要があるが、このとき、一度も表示されたことのない電子メールデータについては、その履歴情報が未読リストとして一覧表示され、一方、過去に表示されたことのある電子メールデータについては、その履歴情報が既読リストとして一覧表示される。つまり、電子メールデータは、未読か既読かを対応付けられて各機Ａ，Ｂ１〜Ｂ５のメモリに保存されている。
【００６９】
このような未読の電子メールデータについては、公衆電話回線２８を通じて外部のパーソナルコンピュータや携帯型電話機などの端末から本ファクシミリ装置にアクセスを行うことにより、外部の端末に一括して転送することが可能とされている。また、既読の電子メールデータについては、外部の端末から本ファクシミリ装置に対するアクセスに応じて一括して消去することも可能とされている。
【００７０】
すなわち、親機ＡのＣＰＵ１０は、センタに対して親機または子機のいずれかから送信データを送信すべき旨の要求がなされた場合、その要求を行った以外の他機が送信データに関する情報を取得することを禁止する制御手段を実現している。
【００７１】
また、親機ＡのＲＯＭ１４に記憶されたプログラムは、相手先からの送信データをセンタ経由により受信して表示できる親機と、その親機を通じて送信データを受信して表示できる子機とを備えた通信装置を制御するためのコンピュータプログラムであって、センタに対して親機または子機のいずれかから送信データを送信すべき旨の要求がなされた場合、その要求を行った以外の他機が送信データに関する情報を取得することを禁止するための制御プログラムを含むコンピュータプログラムを実現している。
【００７２】
次に、本ファクシミリ装置の親機Ａおよび子機Ｂ１の動作について説明する。
【００７３】
図４は、親機Ａにおける親機メール受信処理の動作手順を示すフローチャート、図５は、子機Ｂ１における子機メール受信処理の動作手順を示すフローチャート、図６は、一例として親機Ａにおけるメール表示処理の動作手順を示すフローチャート、図７は、一例として親機Ａにおけるリモート操作処理の動作手順を示すフローチャートである。
【００７４】
まず、図４を参照して親機Ａが電子メールデータを受信する際の動作について説明する。なお、電子メールデータを受信するにあたっては、先述したように、通常の受信方法あるいは自動受信方法のいずれかに則って所定の動作が行われたとする。
【００７５】
まず、親機ＡのＣＰＵ１０は、通常の受信方法あるいは自動受信方法に応じて電子メールデータを受信すると（Ｓ１：ＹＥＳ）、自局からのセンタに対する発呼操作に応じて電子メールデータを受信した状態か否かを判断する（Ｓ２）。ここで、自局とは、親機Ａあるいは子機Ｂ１〜Ｂ５のいずれかを指す。なお、受信した電子メールデータは、ＲＡＭ１２などのメモリに格納されることとなるが、この時点でのメモリは、バッファとして一時的に利用されるだけである。
【００７６】
自局からの発呼であった場合（Ｓ２：ＹＥＳ）、ＣＰＵ１０は、親機Ａを操作して発呼したのか否かを判断する（Ｓ３）。
【００７７】
親機Ａからの発呼であった場合（Ｓ３：ＹＥＳ）、ＣＰＵ１０は、受信した電子メールデータをＲＡＭ１２などのメモリに保存する（Ｓ４）。これにより、受信した電子メールデータは、親機Ａに完全に取り込まれた状態とされ、後にメモリから読み出して印刷や表示に用いられることとなる。
【００７８】
また、ＣＰＵ１０は、受信日時や送信元のメールアドレスなどを示す受信履歴情報を作成してメモリに保存する（Ｓ５）。この受信履歴情報は、後述するメール表示処理において利用されることとなる。なお、受信履歴情報は、電子メールデータと対応付けてメモリに保存されるが、このとき、新着の電子メールデータについては、受信履歴情報とともに後述する未読フラグが「１」としてメモリに保存される。
【００７９】
さらに、ＣＰＵ１０は、受信した電子メールデータにおいて、印刷に関するパスワードが設定されているか否かを判断する（Ｓ６）。
【００８０】
パスワードが設定されていない場合（Ｓ６：ＮＯ）、ＣＰＵ１０は、受信した電子メールデータを印刷し（Ｓ７）、その後この親機メール受信処理を終える。
【００８１】
Ｓ６において、パスワードが設定されている場合（Ｓ６：ＹＥＳ）、ＣＰＵ１０は、受信した電子メールデータを印刷することなく、この親機メール受信処理を終える。つまり、親機Ａからの発呼操作に応じて電子メールデータを受信した場合であっても、パスワードが有効に設定されているときには、受信直後に電子メールデータが印刷されることはない。なお、Ｓ６において、親機Ａにて正しいパスワードが入力された場合には、Ｓ７に進むようにしても良い。
【００８２】
Ｓ３において、親機Ａからの発呼ではなく、子機Ｂ１〜Ｂ５のいずれかによる発呼であった場合（Ｓ３：ＮＯ）、ＣＰＵ１０は、発呼操作された子機を特定する（Ｓ８）。
【００８３】
そして、ＣＰＵ１０は、発呼操作が行われたものと特定した子機に対して受信した電子メールデータを転送し（Ｓ９）、その後この親機メール受信処理を終える。つまり、この場合には、発呼操作が行われた子機のみに電子メールデータが送られ、親機Ａや他の子機には受信した電子メールデータやその受信履歴情報が伝えられることはない。
【００８４】
Ｓ２において、自局からの発呼ではなく、センタからの自動送信に応じて電子メールデータを受信した状態の場合（Ｓ２：ＮＯ）、ＣＰＵ１０は、Ｓ４，Ｓ５と同様にして受信した電子メールデータをＲＡＭ１２などのメモリに保存する一方（Ｓ１０）、受信日時や送信元のメールアドレスなどを示す受信履歴情報を作成してメモリに保存する（Ｓ１１）。
【００８５】
そして、ＣＰＵ１０は、親機Ａ以外の各子機Ｂ１〜Ｂ５に対して受信した電子メールデータを転送し（Ｓ１２）、その後Ｓ６に進む。つまり、センタから自動的に送信されてくる電子メールデータを受信した場合には、その電子メールデータが親機Ａに完全に取り込まれた状態とされる一方、各子機Ｂ１〜Ｂ５にも取り込まれた状態とされるのである。
【００８６】
Ｓ１において、電子メールデータを受信していない場合（Ｓ１：ＮＯ）、ＣＰＵ１０は、電子メールデータを受信するまでＳ２以降に進まない。
【００８７】
次に、図５を参照して子機Ｂ１が電子メールデータを受信する際の動作について説明する。なお、子機Ｂ１は、先述したＳ９あるいはＳ１２の動作に応じて親機Ａから転送されてくる電子メールデータを受信するものである。
【００８８】
まず、子機Ｂ１のＣＰＵ３０は、親機Ａからの電子メールデータを受信すると（Ｓ２１：ＹＥＳ）、受信した電子メールデータをＲＡＭ３２などのメモリに保存する（Ｓ２２）。これにより、受信した電子メールデータは、子機Ｂ１に取り込まれた状態とされ、後にメモリから読み出して表示に用いられることとなる。
【００８９】
また、ＣＰＵ３０は、受信日時や送信元のメールアドレスなどを示す受信履歴情報を作成してメモリに保存し（Ｓ２３）、その後この子機メール受信処理を終える。なお、受信履歴情報は、電子メールデータと対応付けてメモリに保存されるが、このとき、新着の電子メールデータについては、受信履歴情報とともに未読フラグが「１」としてメモリに保存される。
【００９０】
Ｓ２１において、電子メールデータを受信していない場合（Ｓ２１：ＮＯ）、ＣＰＵ３０は、電子メールデータを受信するまでＳ２２以降に進まない。
【００９１】
次に、図６を参照して親機Ａに保存された電子メールデータを表示する際の動作について説明する。なお、図６は、一例として親機Ａにおける動作手順を示すが、子機Ｂ１などにおける動作手順も図６と同様とされる。
【００９２】
まず、ユーザによって電子メールデータを表示するための所定の操作が親機Ａの操作部２３を介して行われると、親機ＡのＣＰＵ１０は、現時点で親機Ａのメモリに保存されている全ての電子メールデータを対象とし、未読フラグが「１」か否かを調べる（Ｓ３１）。この未読フラグとは、新着の電子メールデータをセンタから受信して受信履歴情報を作成する際、その電子メールデータについては一度も表示されたことのないことを表すためにメモリに書き込まれるビット情報であって、新着の電子メールデータに対応しては未読フラグが「１」とされる。
【００９３】
未読フラグが「１」の電子メールデータがある場合（Ｓ３１：ＹＥＳ）、ＣＰＵ１０は、該当する電子メールデータの受信履歴情報を未読リストとして作成する（Ｓ３２）。
【００９４】
一方、未読フラグが「０」の電子メールデータがある場合（Ｓ３１：ＮＯ）、ＣＰＵ１０は、該当する電子メールデータの受信履歴情報を既読リストとして作成する（Ｓ３８）。
【００９５】
そして、ＣＰＵ１０は、親機Ａのメモリに保存されている全ての受信履歴情報についてのリストアップを終えると（Ｓ３３：ＹＥＳ）、未読と既読とに分けて受信履歴情報のリストを親機Ａの表示部２４に一覧表示させる（Ｓ３４）。この際の表示方法としては、最初に未読リストを表示させ、ユーザの切り替え操作に応じて次に既読リストを表示させたり、あるいはその逆としても良い。また、リストアップされた受信履歴情報が相当数となる場合などに応じて、たとえば１００件ごとにグループに分け、グループごとに切り替えできるように分割表示するとしても良い。さらには、受信履歴情報ごとに未読か既読かを示す目印を表示するとしても良い。
【００９６】
こうして表示された受信履歴情報の中からユーザがスクロール操作などによって所望とする受信履歴情報の番号を選択すると（Ｓ３５：ＹＥＳ）、ＣＰＵ１０は、選択された受信履歴情報に該当する電子メールデータをメモリから読み出し、その電子メールデータの中身となるメッセージ文を表示部２４に表示させる（Ｓ３６）。
【００９７】
そして、ＣＰＵ１０は、表示した電子メールデータに対応する未読フラグを「０」としてメモリに書き込み（Ｓ３７）、このメール表示処理を終える。なお、未読フラグが既に「０」として書き込まれているときは、未読フラグを「０」とする書き込みが行われないとしても良い。
【００９８】
Ｓ３５において、ユーザによって所望とする受信履歴情報の番号が選択されない場合（Ｓ３５：ＮＯ）、ＣＰＵ１０は、Ｓ３４に戻って受信履歴情報の一覧表示を続ける。
【００９９】
Ｓ３３において、全ての受信履歴情報についてのリストアップを終えていない場合（Ｓ３３：ＮＯ）、ＣＰＵ１０は、全てのリストアップを終えるまでＳ３１を繰り返す。
【０１００】
次に、図７を参照して親機Ａに保存された電子メールデータを外部の端末からリモート操作する際の動作について説明する。なお、図７は、一例として親機Ａにおける動作手順を示すが、子機Ｂ１などにおける動作手順も図７と同様とされる。
【０１０１】
まず、親機ＡのＣＰＵ１０は、外部の端末から公衆電話回線２８を通じてリモート操作を要求するコマンドを受信したか否かを判断している（Ｓ４１）。このコマンドは、リモート操作の承認を得るためのパスワードや、リモート操作の対象となる親機Ａなどを指定するためのコードなどとともに、外部の端末からＤＴＭＦ（Dial Tone Multi Frequency）信号に載せて送られてくるものである。
【０１０２】
リモート操作を要求するコマンドを受信した場合（Ｓ４１：ＹＥＳ）、ＣＰＵ１０は、そのコマンドとして一括転送コマンドを受信したか否かを判断する（Ｓ４２）。この一括転送コマンドとは、メモリに保存された電子メールデータを一括して外部の端末に転送すべきことを要求するものである。
【０１０３】
一括転送コマンドを受信した場合（Ｓ４２：ＹＥＳ）、ＣＰＵ１０は、親機Ａのメモリに保存されている未読の電子メールデータを一括して外部の端末に転送し（Ｓ４３）、その後このリモート操作処理を終える。この際、未読の電子メールデータは、それに対応してメモリに書き込まれた未読フラグが「１」であることから、この未読フラグの値に基づいて読み出されることとなる。
【０１０４】
Ｓ４２において、一括転送コマンドではなく（Ｓ４２：ＮＯ）、一括消去コマンドを受信した場合（Ｓ４４：ＹＥＳ）、ＣＰＵ１０は、親機Ａのメモリに保存されている既読の電子メールデータを一括して消去し（Ｓ４５）、その後このリモート操作処理を終える。この際においても、既読の電子メールデータは、それに対応してメモリに書き込まれた未読フラグが「０」であることから、この未読フラグの値に基づいて読み出されることとなる。また、既読の電子メールデータを消去する際には、対応する受信履歴情報についても消去される。
【０１０５】
Ｓ４４において、一括消去コマンドでもない他のコマンドを受信した場合（Ｓ４４：ＮＯ）、ＣＰＵ１０は、受信したコマンドに応じた動作を行うべく、このリモート操作処理を終えて他の処理に移る。
【０１０６】
Ｓ４１において、外部の端末からリモート操作を要求するコマンドを受信していない場合（Ｓ４１：ＮＯ）、ＣＰＵ１０は、そのコマンドを受信するまでＳ４２以降に進まない。
【０１０７】
したがって、上記親機Ａおよび子機Ｂ１〜Ｂ５を備えたファクシミリ装置によれば、たとえば自発的に子機Ｂ１からセンタに対して電子メールデータを送信すべき旨の要求を行った場合には、その子機Ｂ１が親機Ａを通じて電子メールデータを受信しつつも、送信要求を発した子機Ｂ１以外の親機Ａや他の子機Ｂ２〜Ｂ５には受信した電子メールデータが保存されないので、私信としての電子メールデータが送信要求を行った子機Ｂ１のみに取り込まれ、その子機Ｂ１上で電子メールデータを表示させて内密に取り扱うことができる。もちろん、親機Ａから送信要求を行った場合や、他の子機Ｂ２〜Ｂ５のいずれか１つから送信要求を行った場合でも同様の効果が得られる。
【０１０８】
その一方、センタからの自動送信に応じて親機Ａが電子メールデータを受信した場合には、その電子メールデータが親機Ａおよび子機Ｂ１〜Ｂ５の全てに保存され、各機Ａ，Ｂ１〜Ｂ５上で自動送信に応じて受信した電子メールデータを表示させて公的に取り扱うことができる。
【０１０９】
なお、本発明は、上記実施形態に限定されるものではない。
【０１１０】
上記実施形態では、主に受信した電子メールデータを表示する態様について説明したが、もちろん、親機Ａあるいは各子機Ｂ１〜Ｂ５のいずれからでも電子メールデータを作成して送信することができる。電子メールデータの送信に際しては、送信相手先のメールアドレスを入力する必要があるが、このメールアドレスについては、相手先の電話番号としてあらかじめメモリに登録された電話帳情報などと同様に、必要に応じてメモリに登録しておくことができる。登録の際には、図３に良く示すように、表示部２４の下端近くに設けられたファンクションキー２３Ａの１つを登録ボタンとして利用できる。ファンクションキー２３Ａは、その近くで表示部２４に表示される機能名に応じて各種の機能が割り当てられるものであるが、登録モードでは、１つのファンクションキー２３Ａに登録ボタンとしての機能が割り当てられ、そのファンクションキー２３Ａが登録ボタンであることが表示部２４にて示される。そして、メールアドレスや電話帳情報の登録件数については、メモリ容量に応じてある程度の上限数が定められているが、これらの登録件数が既に上限に達している状態では、登録モードであっても登録ボタンが表示されることはない。これにより、登録件数が上限となって登録できない状況では、その旨のメッセージなどを特に表示しなくても、登録ボタンの非表示に応じて登録件数が上限であることをユーザに知らせることができる。
【０１１１】
また、上記実施形態は、電子メールデータに関するものであるが、ファクシミリデータに置き換えても同様の効果を得ることができる。
【０１１２】
さらに、親機は、ファクシミリ装置本体に限らず、据置型の電話装置であっても良く、パーソナルコンピュータであっても良い。後者の場合、本発明は、上記実施形態において説明した各処理（ステップ）を含むコンピュータプログラムにより実現される。同様に、子機においても、上記実施形態において説明した各処理を含むコンピュータプログラムによりＰＤＡなどの上で実現される。
【０１１３】
親機ＡのＣＰＵ１０による動作は、子機Ｂ１のＣＰＵ３０によって実行されるとしても良く、また、子機Ｂ１は、電子メールデータを印刷する機能を備えたものでも良い。
【０１１４】
【発明の効果】
以上説明したように、請求項１に記載した発明の通信装置によれば、たとえば子機からセンタに対して送信データを送信すべき旨の要求を行った場合には、その子機が親機を通じて送信データを受信しつつも、送信要求を発した子機以外の親機などには送信データが取得されないので、私信としての送信データが送信要求を行った子機のみに取得され、その子機上で送信データを表示させて内密に取り扱うことができる。もちろん、親機から送信要求を行った場合や、複数の子機のいずれか１つから送信要求を行った場合についても同様である。
【０１１５】
また、請求項２に記載した発明の通信装置によれば、請求項１に記載の通信装置による効果と同様の効果を得ることができる。
【０１１６】
さらに、請求項３に記載した発明の通信装置によれば、請求項１または２に記載の通信装置による効果に加えて、センタからの自動送信に応じて親機が送信データを受信した場合には、その送信データが親機および子機の全てに取得され、各機上で送信データを表示させて公的に取り扱うことができる。
【０１１７】
また、請求項４に記載した発明の通信装置によれば、請求項２または３に記載の通信装置による効果に加えて、たとえば親機からセンタに対して送信データを送信すべき旨の要求を行った場合に限り、それに応じて親機にて送信データを受信した際には、その送信データを印刷させることができる。言い換えれば、子機から送信要求を行った場合には、親機にて一旦受信した送信データが印刷されることはなく、その子機上で送信データを表示させるのみとして内密に取り扱うことができる。要するに、制御手段は、親機からの送信データを送信すべき旨の要求に応じて、その親機が送信データを受信して取得した場合にのみ、印刷手段を介して送信データを印刷させるものとすることができる。
【０１１８】
さらに、請求項５に記載した発明の通信装置によれば、請求項４に記載の通信装置による効果に加えて、たとえば親機からセンタに対して送信データを送信すべき旨の要求を行った場合でも、その送信データに認証情報が設定されている場合には、その親機にて受信した送信データが印刷されることはなく、受信した送信データの秘匿性を高めることができる。
【０１１９】
また、請求項６に記載した発明の通信装置によれば、請求項１ないし５のいずれかに記載の通信装置による効果に加えて、親機および子機の各機に取り込んだ送信データを未読／既読ごとに分けて一覧表示することで見分けやすくすることができる。
【０１２０】
さらに、請求項７に記載した発明の通信装置によれば、請求項６に記載の通信装置による効果に加えて、たとえば外部からの要求に応じてその外部へと未読の送信データを一括して転送したり、既読の送信データを一括して消去したりすることができる。
【０１２１】
また、請求項８に記載した発明の通信装置によれば、たとえば本機からセンタに対して送信データを送信すべき旨の要求を行った場合には、本機が送信データを受信しつつも、送信要求を発した本機以外の子機などには送信データが取得されないので、私信としての送信データが送信要求を行った本機のみに取得され、本機の画面上で送信データを表示させて内密に取り扱うことができる。
【０１２２】
さらに、請求項９に記載した発明の通信装置によれば、請求項８に記載の通信装置による効果に加えて、センタからの自動送信に応じて本機が送信データを受信した場合には、その送信データが本機および子機の全てに取り込まれ、各機上で送信データを表示させて公的に取り扱うことができる。
【０１２３】
また、請求項１０に記載した発明の通信装置によれば、請求項８または９に記載の通信装置による効果に加えて、たとえば本機からセンタに対して送信データを送信すべき旨の要求を行った場合に限り、それに応じて本機にて送信データを受信した際には、その送信データを印刷させることができる。言い換えれば、子機から送信要求を行った場合には、本機にて一旦受信した送信データが印刷されることはなく、その子機上で送信データを表示させるのみとして内密に取り扱うことができる。要するに、制御手段は、本機からの送信データを送信すべき旨の要求に応じて、その送信データを受信して取得した場合にのみ、印刷手段を介して送信データを印刷させるものとすることができる。
【０１２４】
さらに、請求項１１に記載した発明の通信装置によれば、請求項１０に記載の通信装置による効果に加えて、たとえば本機からセンタに対して送信データを送信すべき旨の要求を行った場合でも、その送信データに認証情報が設定されている場合には、本機にて受信した送信データが印刷されることはなく、受信した送信データの秘匿性を高めることができる。
【０１２５】
また、請求項１２に記載した発明の通信装置によれば、請求項８ないし１１のいずれかに記載の通信装置による効果に加えて、本機に取り込んだ送信データを未読／既読ごとに分けて一覧表示することで見分けやすくすることができる。
【０１２６】
さらに、請求項１３に記載した発明の通信装置によれば、請求項１２に記載の通信装置による効果に加えて、たとえば外部からの要求に応じてその外部へと未読の送信データを一括して転送したり、既読の送信データを一括して消去したりすることができる。
【０１２７】
また、請求項１４に記載した発明の通信装置によれば、たとえば本機からセンタに対して送信データを送信すべき旨の要求を行った場合には、本機が親機から送信データを取得しつつも、送信要求を発した本機以外の親機などには送信データが取り込まれないので、私信としての送信データが送信要求を行った本機のみに取得され、本機の画面上に送信データを表示させて内密に取り扱うことができる。
【０１２８】
さらに、請求項１５に記載した発明の通信装置によれば、請求項１４に記載の通信装置による効果に加えて、センタからの自動送信に応じて親機が送信データを受信した場合には、その送信データが親機を通じて本機に取得され、本機の画面上で送信データを表示させて公的に取り扱うことができる。
【０１２９】
また、請求項１６に記載した発明の通信装置によれば、請求項１４または１５に記載の通信装置による効果に加えて、たとえば本機からセンタに対して送信データを送信すべき旨の要求を行った場合に限り、それに応じて本機が送信データを取得した際には、その送信データを印刷させることができる。言い換えれば、本機から送信要求を行った場合には、親機にて一旦受信した送信データが印刷されることはなく、本機の画面上で送信データを表示させるのみとして内密に取り扱うことができる。要するに、制御手段は、本機からの送信データを送信すべき旨の要求に応じて、その送信データを取得した場合にのみ、印刷手段を介して送信データを印刷させるものとすることができる。
【０１３０】
さらに、請求項１７に記載した発明の通信装置によれば、請求項１６に記載の通信装置による効果に加えて、たとえば本機からセンタに対して送信データを送信すべき旨の要求を行った場合でも、その送信データに認証情報が設定されている場合には、本機にて取得した送信データが印刷されることはなく、受信した送信データの秘匿性を高めることができる。
【０１３１】
また、請求項１８に記載した発明の通信装置によれば、請求項１４ないし１７のいずれかに記載の通信装置による効果に加えて、本機に取り込んだ送信データを未読／既読ごとに分けて一覧表示することで見分けやすくすることができる。
【０１３２】
さらに、請求項１９に記載した発明の通信装置によれば、請求項１８に記載の通信装置による効果に加えて、たとえば外部からの要求に応じてその外部へと未読の送信データを一括して転送したり、既読の送信データを一括して消去したりすることができる。
【図面の簡単な説明】
【図１】本発明に係る通信装置の一実施形態として、ファクシミリ装置を示すブロック図である。
【図２】子機の外観を示す外観図である。
【図３】親機の外観を示す外観図である。
【図４】親機における親機メール受信処理の動作手順を示すフローチャートである。
【図５】子機における子機メール受信処理の動作手順を示すフローチャートである。
【図６】一例として親機におけるメール表示処理の動作手順を示すフローチャートである。
【図７】一例として親機におけるリモート操作処理の動作手順を示すフローチャートである。
【符号の説明】
１０        ＣＰＵ
１１        ＮＣＵ
１２        ＲＡＭ
１３        モデム
１４        ＲＯＭ
１５        ＮＶＲＡＭ
１６        ゲートアレイ
１７        コーデック
１８        ＤＭＡＣ
２１        読取部
２２        印刷部
２３        操作部
２４        表示部
２５        無線通信部
２８        公衆電話回線
３０        ＣＰＵ
３２        ＲＡＭ
３３        モデム
３４        ＲＯＭ
３５        ＮＶＲＡＭ
３６        ゲートアレイ
３７        コーデック
４３        操作部
４４        表示部
４５        無線通信部
Ａ          ファクシミリ装置本体（親機）
Ｂ１〜Ｂ５  コードレス電話機（子機）
【図１】
0004374787.tif 000002
【図２】
0004374787.tif 000003
【図３】
0004374787.tif 000004
【図４】
0004374787.tif 000005
【図５】
0004374787.tif 000006
【図６】
0004374787.tif 000007
【図７】
0004374787.tif 000008